(57)【要約】      （修正有）【課題】一般的に採用されている高価なＬＥＤレッドチップを排除し、ＬＥＤブルーチップを採用して植物工場用照明装置の製作単価を安くすると共に、照明装置から発光される光の波長を改善して、植物の生育効率を相対的に一層高めることができる植物工場用ＬＥＤ照明モジュールを提供する。【解決手段】ＬＥＤ照明モジュールと、このＬＥＤ照明モジュールが搭載されるＬＥＤ照明装置から発光される光が、ブルー系列波長帯（４５０ｎｍ）でピーク値を具現するようにし、レッド系列波長帯（６６０ｎｍ）でもピーク値を具現するようにして、植物の生育が全般的に促進されるようにする。また、ブルーチップ光源と、このブルーチップ光源の外表面に塗布されるＲＧＹフォスフォと、を１つのチップに具現する。【選択図】図４
2015002733.tif 000002
【特許請求の範囲】
【請求項１】
植物工場用ＬＥＤ照明装置に設けられるＬＥＤ照明モジュールであって、
外部から供給される電源で駆動してブルー系列の光を発光するブルーチップ光源１０；
イエロ系列、グリーン系列、レッド系列のフォスフォが組み合わされて成され、前記ブルーチップ光源の外表面に塗布され、前記ブルーチップ光源を通じて外部から照射される光量が６２５ｎｍ〜７００ｎｍの領域内で最大値を有する第１の極大点を示すようにし、４３０ｎｍ〜４７０ｎｍの領域内で前記第１の極大点より小さな値を有する第２の極大点を示すようにし、５５０ｎｍ〜６６０ｎｍの領域内で前記第２の極大点以上の値を維持するようにするＲＧＹフォスフォ２０；
を含んで構成される植物工場用ＬＥＤ照明モジュール。
【請求項２】
ＬＥＤ照明モジュールを搭載した植物工場用ＬＥＤ照明装置であって、
外部から供給される電源で駆動してブルー系列の光を発光するブルーチップ光源１０と、イエロ系列、グリーン係熱、レッド系列のフォスフォが組み合わされて成され、前記ブルーチップ光源の外表面に塗布され、前記ブルーチップ光源を通じて外部から照射される光量が６２５ｎｍ〜７００ｎｍの領域内で最大値を有する第１の極大点を示すようにし、４３０ｎｍ〜４７０ｎｍの領域内で前記第１の極大点より小さな値を有する第２の極大点を示すようにし、５５０ｎｍ〜６６０ｎｍの領域内で前記第２の極大点より相対的に大きな値を維持するようにするＲＧＹフォスフォ２０を具備するＬＥＤ照明モジュール１００；
前記ＬＥＤ照明モジュールを複数搭載して、回路配線がパターニングされて前記ＬＥＤ照明モジュールのオン/オフを制御し、前記ＬＥＤ照明モジュールに外部電源を印加させる回路基板２００；
前記回路基板の底面が安着された状態で前記回路基板を固定させるフレーム３００；
を含んで構成される植物工場用ＬＥＤ照明装置。
【請求項３】
前記フレームの底面の周縁に脱着可能に付着され、前記フレームに安着された前記回路基板と、前記回路基板に搭載された前記ＬＥＤ照明モジュールを仕上げる仕上げカバー４００と、をさらに含んで構成されることを特徴とする、請求項２に記載の植物工場用ＬＥＤ照明装置。
【請求項４】
前記回路基板に複数搭載される前記ＬＥＤ照明モジュールは、互いに等間隔に離隔して一列に配置されることを特徴とする、請求項３に記載の植物工場用ＬＥＤ照明装置。
【発明の詳細な説明】
【技術分野】
【０００１】
本発明は、植物工場において一般的に採用されている高価のＬＥＤレッドチップを排除し、その代わりにＬＥＤブルーチップを採用して植物工場用照明装置の製作単価を安くし、レッド光源による目の疲れを減少させ、作業環境が改善されると共に、照明装置から発光される光の波長を改善し、植物の生育効率を相対的に一層高めることができる技術に関する。
【０００２】
より詳しくは、ＬＥＤ照明モジュールと、このＬＥＤ照明モジュールが搭載されるＬＥＤ照明装置から発光される光が、ブルー系列波長帯（４５０ｎｍ）で１次ピーク値を具現するようにし、レッド系列波長帯（６６０ｎｍ）でも２次ピーク値を具現するようにして、植物の生育が全般的に促進されるようにする技術である。
【背景技術】
【０００３】
一般的に、植物は根から養分を吸収し、葉で光合性を通じてエネルギーを生産し、植物の生育に使用する。
【０００４】
そして、植物工場は室内で植物を栽培するため、植物の光合性のために太陽光と類似の人工照明を発光させるようになる。
【０００５】
ところが、人工照明を具現する方法は多くあるが、植物の生育に適合した光の波長帯を具現することが植物工場において核心技術であると言える。
【０００６】
従来は３波長の蛍光灯を用いる方式もあったが、消費電力があまり大きく、短寿命であり、植物の生育には不適であるという問題があった。
【０００７】
よって、ＬＥＤを用いた照明装置が開発され、植物の生長に非常に重要なレッド系列の波長帯を具現するためにレッドチップを採択した。このレッドチップにブルーＬＥＤまたはホワイトＬＥＤを組み合わせて、目的とする波長帯を具現することもある。
【０００８】
ところが、レッドチップはブルーチップに比べて更に高価であり、消費電力も大きいため、植物工場を運営することにおいて非効率的であるが、レッド系列の波長帯を具現するために採用している実情である。
【０００９】
上記のような短所を解決するために、ＬＥＤブルーチップにＲＧＹフォスフォを適用し、植物工場用照明装置の製作単価を安くすると共に、照明装置から発光される光の波長を改善して、植物の生育効率を一層高めることができる技術の具現が要求される。
【先行技術文献】
【特許文献】
【００１０】
【特許文献１】大韓民国特許出願第１０-２０１０-００２８２６６号
【特許文献２】大韓民国特許出願第１０-２００３-００７８９８９号
【発明の概要】
【発明が解決しようとする課題】
【００１１】
本発明は、上記の点を勘案して提案されたものであり、本発明の目的は、低価のＬＥＤブルーチップを採用して植物工場用照明装置の製作単価を安くすると共に、照明装置から発光される光の波長を改善して、植物の生育効率を一層高めることができる植物工場用ＬＥＤ照明モジュールとこれを搭載した植物工場用ＬＥＤ照明装置を提供することにある。
【課題を解決するための手段】
【００１２】
上記の目的を達成するために、本発明に係る植物工場用ＬＥＤ照明モジュールは、植物工場用ＬＥＤ照明装置に設けられるＬＥＤ照明モジュールであって、外部から供給される電源で駆動してブルー系列の光を発光するブルーチップ光源；イエロ系列、グリーン系列、レッド系列のフォスフォが組み合わされて成され、ブルーチップ光源の外表面に塗布され、ブルーチップ光源を通じて照射される光量が６２５ｎｍ〜７００ｎｍの領域内で最大値を有する第１の極大点を示すようにし、４３０ｎｍ〜４７０ｎｍの領域内で第１の極大点より小さな値を有する第２の極大点を示すようにし、５５０ｎｍ〜６６０ｎｍの領域内で第２の極大点以上の値を維持するようにするＲＧＹフォスフォ；を含んで構成される。
【００１３】
本発明に係るＬＥＤ照明モジュールを搭載した植物工場用ＬＥＤ照明装置は、外部から供給される電源で駆動してブルー系列の光を発光するブルーチップ光源と、イエロ系列、グリーン系列、レッド系列のフォスフォが組み合わされて成され、ブルーチップ光源の外表面に塗布され、ブルーチップ光源を通じて照射される光量が６２５ｎｍ〜７００ｎｍの領域内で最大値を有する第１の極大点を示すようにし、４３０ｎｍ〜４７０ｎｍの領域内で第１の極大点より小さな値を有する第２の極大点を示すようにし、５５０ｎｍ〜６６０ｎｍの領域内で第２の極大点より相対的に大きな値を維持するようにするＲＧＹフォスフォを具備するＬＥＤ照明モジュール；ＬＥＤ照明モジュールを複数搭載して、回路配線がパターニングされてＬＥＤ照明モジュールのオン/オフを制御し、ＬＥＤ照明モジュールに外部電源を印加させる回路基板；回路基板の底面が安着された状態で回路基板を固定させるフレーム；を含んで構成される。
【００１４】
そして、フレームの底面の周縁に脱着可能に付着され、フレームに安着された回路基板と、回路基板に搭載されたＬＥＤ照明モジュールを仕上げる仕上げカバーと、をさらに含んで構成されることができる。
【００１５】
一方、回路基板に複数搭載されるＬＥＤ照明モジュールは、互いに等間隔に離隔して一列に配置されることができる。
【発明の効果】
【００１６】
本発明に係る植物工場用ＬＥＤ照明装置は、
【００１７】
（１）一般的に、植物工場用照明装置に採用されている高価のＬＥＤレッドチップを排除し、ＬＥＤブルーチップを採用して製作単価を安くすると共に、発光される光がブルー系列波長帯（４５０ｎｍ）でピーク値を具現するようにし、レッド系列波長帯（６６０ｎｍ）でもピーク値を具現するようにして、植物の生長を一層促進させる長所がある。
【００１８】
（２）また、このような波長帯では、レッド光源による目の疲れを減少させ、作業環境が改善される長所もある。
【００１９】
（３）ブルー系列波長帯（４５０ｎｍ）とレッド系列波長帯（６６０ｎｍ）でピーク値を具現するようにし、このためのブルーチップ光源と、このブルーチップ光源の外表面に塗布されるＲＧＹフォスフォと、を１つのチップに具現し、製作が簡便になるようにした。
【図面の簡単な説明】
【００２０】
【図１】本発明に係る植物工場用ＬＥＤ照明装置を示す例示図である。
【図２】本発明に係る植物工場用ＬＥＤ照明装置とＬＥＤ照明モジュールを抜粹して拡大した図面である。
【図３】本発明に係る植物工場用ＬＥＤ照明装置が設けられた模様を撮影した写真である。
【図４】本発明に係る植物工場用ＬＥＤ照明装置から発光される光の波長に対して特定の波長帯の目標条件を示したグラフである。
【図５】一般的な蛍光灯が植物工場に設けられた模様を撮影した写真である。
【図６】一般的な蛍光灯から発光される光の波長を示したグラフである。
【図７】レッドＬＥＤとブルーＬＥＤとを組み合わせた照明装置が植物工場に設けられた模様を撮影した写真である。
【図８】レッドＬＥＤとブルーＬＥＤとを組み合わせた照明装置から発光される光の波長を示したグラフである。
【図９】一般照明用ホワイトＬＥＤとレッドＬＥＤとを組み合わせた照明装置が植物工場に設けられた模様を撮影した写真である。
【図１０】一般照明用ホワイトＬＥＤとレッドＬＥＤとを組み合わせた照明装置から発光される光の波長を示したグラフである。
【図１１】レッド波長帯を強調したホワイトＬＥＤ照明装置が植物工場に設けられた模様を撮影した写真である。
【図１２】レッド波長帯を強調したホワイトＬＥＤ照明装置から発光される光の波長に対して特定の波長帯の目標条件を示したグラフである。
【図１３】比較実験のために、本発明のＬＥＤ照明装置を含む複数のＬＥＤ照明装置が植物工場に設けられた模様を撮影した写真である。
【図１４】「シザースレッド」植物に蛍光灯、ホワイトＬＥＤとレッドＬＥＤとを組み合わせた照明装置、本発明に係る照明装置からそれぞれ光が照射される場合の生育状態を比べたグラフである。
【図１５】「シザースレッド」植物に蛍光灯、ホワイトＬＥＤとレッドＬＥＤとを組み合わせた照明装置、本発明に係る照明装置からそれぞれ光が照射される場合の生育状態を比べたグラフである。
【図１６】「レタス」植物に蛍光灯、ホワイトＬＥＤとレッドＬＥＤとを組み合わせた照明装置、本発明に係る照明装置からそれぞれ光が照射される場合の生育状態を比べたグラフである。
【図１７】「レタス」植物に蛍光灯、ホワイトＬＥＤとレッドＬＥＤとを組み合わせた照明装置、本発明に係る照明装置からそれぞれ光が照射される場合の生育状態を比べたグラフである。
【図１８】「シザースグリーン」植物に蛍光灯、ホワイトＬＥＤとレッドＬＥＤとを組み合わせた照明装置、本発明に係る照明装置からそれぞれ光が照射される場合の生育状態を比べたグラフである。
【図１９】「シザースグリーン」植物に蛍光灯、ホワイトＬＥＤとレッドＬＥＤとを組み合わせた照明装置、本発明に係る照明装置からそれぞれ光が照射される場合の生育状態を比べたグラフである。
【発明を実施するための形態】
【００２１】
以下、図面を参照して本発明を詳しく説明する。
【００２２】
図１は、本発明に係る植物工場用ＬＥＤ照明装置を示す例示図であり、図２は、本発明に係る植物工場用ＬＥＤ照明装置とＬＥＤ照明モジュールとを抜粹して拡大した図面である。
【００２３】
図１と図２を参照すると、本発明に係る植物工場用ＬＥＤ照明モジュール１００はＬＥＤ照明装置に設けられ、ブルーチップ光源１０及びＲＧＹフォスフォ（Ｒｅｄ  Ｇｒｅｅｎ  Ｙｅｌｌｏｗ  Ｐｈｏｓｐｈｅｒ）２０からなる。
【００２４】
ブルーチップ光源１０は、外部から供給される電源で駆動してブルー系列の光を発光する。ＲＧＹフォスフォ２０が外表面に塗布された後、ブルーチップ光源１０とＲＧＹフォスフォ２０が一緒になって発光する光は、レッド系列の波長帯を強調した白色光を具現する。
【００２５】
ＲＧＹフォスフォ２０は、イエロ系列、グリーン系列、レッド系列のフォスフォが組み合わされて成され、ブルーチップ光源１０の外表面に塗布され、ブルーチップ光源１０を通じて照射される光量が６２５ｎｍ〜７００ｎｍの領域内で最大値を有する第１の極大点を示すようにし、４３０ｎｍ〜４７０ｎｍの領域内で第１の極大点より小さな値を有する第２の極大点を示すようにし、５５０ｎｍ〜６６０ｎｍの領域内で第２の極大点以上の値を維持するようにする。
【００２６】
この際、ＲＧＹフォスフォ２０はブルーチップ光源１０の外表面に塗布させることが望ましく、ステッカーの形態に付着することもできる。
【００２７】
本発明に係る植物工場用ＬＥＤ照明装置は、ＬＥＤ照明モジュール１００を搭載し、回路基板２００、フレーム３００、仕上げカバー４００を具備する。
【００２８】
ＬＥＤ照明モジュール１００は、外部から供給される電源で駆動してブルー系列の光を発光するブルーチップ光源１０と、イエロ系列、グリーン系列、レッド系列のフォスフォが組み合わされて成され、ブルーチップ光源１０の外表面に塗布され、ブルルチップ光源１０を通じて照射される光量が６２５ｎｍ〜７００ｎｍの領域内で最大値を有する第１の極大点を示すようにし、４３０ｎｍ〜４７０ｎｍの領域内で第１の極大点より小さな値を有する第２の極大点を示すようにし、５５０ｎｍ〜６６０ｎｍの領域内で第２の極大点より相対的に大きな値を維持するように構成される。
【００２９】
回路基板２００はＬＥＤ照明モジュール１００を複数搭載し、回路配線がパターニングされてＬＥＤ照明モジュール１００のオン/オフを制御し、ＬＥＤ照明モジュール１００に外部電源を印加させるようにする。
【００３０】
フレーム３００は回路基板２００の底面が安着された状態で回路基板２００を固定させ、植物工場の支持フレームに固定され、照明装置を支持する。
【００３１】
仕上げカバー４００は、フレーム３００の底面の周縁に脱着可能に付着され、フレーム３００に安着された回路基板２００と、回路基板２００に搭載されたＬＥＤ照明モジュール１００と、を仕上げる。この際、仕上げカバー４００は、硝子または合成樹脂材の中、何れか１つから採択されることができ、望ましくは軽い合成樹脂材から採択されることができる。
【００３２】
ここでも、ＲＧＹフォスフォ２０は、ブルーチップ光源１０の外表面に塗布させたり、ステッカーの形態に付着することができる。
【００３３】
図１に示すように、回路基板２００に複数搭載されるＬＥＤ照明モジュール１００は、互いに等間隔に離隔して一列に配置されることができる。
【００３４】
図３は、本発明に係る植物工場用ＬＥＤ照明装置が設けられた模様を撮影した写真であり、図４は、本発明に係る植物工場用ＬＥＤ照明装置から発光される光の波長に対して特定の波長帯の目標条件を示したグラフである。ここで、図４に示したグラフは、特定の波長帯の一部分に対する目標条件のみを概略的に示し、連続的な部分は省略した。
【００３５】
図３と図４を参照すると、イエロ系列、グリーン系列、レッド系列のフォスフォが組み合わされて成されるＲＧＹフォスフォ２０は、ブルーチップ光源１０の外表面に塗布されるところ、この際、ブルーチップ光源１０を通じて照射される光量が６２５ｎｍ〜７００ｎｍの領域内で光の強度（ｉｎｔｅｎｓｉｔｙ）が最大値を有する第１の極大点を示し、４３０ｎｍ〜４７０ｎｍの領域内で第１の極大点より小さな値を有する第２の極大点を示す。そして、５５０ｎｍ〜６６０ｎｍの領域内で第２の極大点より相対的に大きな値を維持するようにする。
【００３６】
つまり、図４に示したグラフの[3] の領域で第１の極大点を有し、[1] の領域で第２の極大点を有し、[2] の領域で第２の極大点より相対的に大きな値を維持する。
【００３７】
このような光の強さと波長帯を具現する本発明の作用効果は、下記の図１４〜図１９を説明する部分から確認できる。
【００３８】
図５は、一般的な蛍光灯を植物工場に設けた模様を撮影した写真であり、図６は、このような一般的な蛍光灯から発光される光の波長を分析して示したグラフである。
【００３９】
図５と図６を参照すると、一般的な３波長の蛍光灯から照射される光は、本発明において注目している植物の生長に非常に重要な６６０ｎｍ波長帯において、光の強度が非常に弱いということが分かる。
【００４０】
図７は、レッドＬＥＤとブルーＬＥＤとを組み合わせた照明装置が植物工場に設けられた模様を撮影した写真であり、図８は、レッドＬＥＤとブルーＬＥＤとを組み合わせた照明装置から発光される光の波長を示したグラフである。
【００４１】
図７と図８を参照すると、照明装置から照射される光は、ブルー系列である４５０ｎｍ波長帯と、レッド系列である６６０ｎｍ波長帯において、強さがピーク値を示すが、５５０ｎｍ〜６６０ｎｍの領域の波長帯において４５０ｎｍ波長帯の強さより相対的に小さな強さを維持して、植物の生長に不利な条件を有する。
【００４２】
図９は、一般照明用ホワイトＬＥＤとレッドＬＥＤとを組み合わせた照明装置が植物工場に設けられた模様を撮影した写真であり、図１０は、一般照明用ホワイトＬＥＤとレッドＬＥＤとを組み合わせた照明装置から発光される光の波長を示すグラフである。
【００４３】
図９と図１０を参照すると、照明装置から照射される光は、ブルー系列である４５０ｎｍ波長帯と、レッド系列である６６０ｎｍ波長帯において、強さがピーク値を示しても、５５０ｎｍ〜６６０ｎｍの領域の波長帯において４５０ｎｍ波長帯の強さより相対的に小さな強さを維持すれば、植物の生長に不利な条件を有するということは、上記の図７と図８において説明した。これに対する結果は、下記の図１４〜図１９を説明する部分から確認できる。
【００４４】
図１１は、レッド波長帯を強調したホワイトＬＥＤ照明装置が植物工場に設けられた模様を撮影した写真であり、図１２は、レッド波長帯を強調したホワイトＬＥＤ照明装置から発光される光の波長に対して、特定の波長帯の目標条件を示したグラフである。ここで、図１２に示すグラフは、特定の波長帯の一部分に対する目標条件のみを概略的に示し、連続的な部分は省略した。
【００４５】
図１１と図１２を参照すると、照明装置から照射される光の強さがブルー系列である４５０ｎｍ波長帯においてピーク値を示し、５５０ｎｍ〜６６０ｎｍの領域の波長帯において４５０ｎｍ波長帯の強さより相対的に大きな強さを維持しても、レッド系列である６６０ｎｍ波長帯において、強さがピーク値に具現されなければ、これも植物の生長に非常に不利な条件を有するようになる。
【００４６】
つまり、図１２を参照すると、[1] の領域では第２の極大点を有し、[2] の領域では第２の極大点より相対的に大きな値を維持する。しかし、グラフの[3] の領域で第１の極大点を示しても、６６０ｎｍ波長帯において強さがピーク値に具現されなければ、これも植物の生長に非常に不利な条件を有するようになる。
【００４７】
図１３は、比較実験のために、本発明のＬＥＤ照明装置を含む複数のＬＥＤ照明装置が植物工場に設けられた模様を撮影した写真であり、以下の図１４〜図１９に示すような実験結果を得るために、植物工場に設けた多くの種類の照明装置を示す。
【００４８】
図１４〜図１９の実験を通じて、下記の表１の条件に従い、蛍光灯、ホワイトＬＥＤ＋レッドＬＥＤ、本発明の実施の形態に対する３種のパターンの照明装置から照射される光により、「シザースレッド」、「レタス」、「シザースグリーン」の植物が生長する過程を観察した。
【００４９】
【表１】
2015002733.tif 000003
【００５０】
ここで、直下高さはＬＥＤ照明モジュール１００から測定地点までの距離を示す。
【００５１】
図１４と図１５は、「シザースレッド」植物に蛍光灯、ホワイトＬＥＤとレッドＬＥＤとを組み合わせた照明装置と本発明に係る照明装置からそれぞれ光が照射される場合の生育状態を比べたグラフである。
【００５２】
図１４と図１５に示すように、消費電力と単価が高いレッドチップを用いたホワイトＬＥＤ＋レッドＬＥＤの照明装置を通じて生育される「シザースレッド」は、消費電力が低くて単価が安いブルーチップを採択した本発明（ホワイトＬＥＤ）の照明装置を通じて生育される「シザースレッド」とほぼ同水準の生長率を示していることが分かる。
【００５３】
図１６と図１７は、「レタス」植物に蛍光灯、ホワイトＬＥＤとレッドＬＥＤとを組み合わせた照明装置と本発明に係る照明装置からそれぞれ光が照射される場合の生育状態を比べたグラフである。
【００５４】
図１６と図１７を参照すると、消費電力と単価が高いレッドチップを用いたホワイトＬＥＤ＋レッドＬＥＤの照明装置を通じて生育される「レタス」は、消費電力が低くて単価が安いブルーチップを採択した本発明（ホワイトＬＥＤ）の照明装置を通じて生育される「レタス」が一層良好な生長率を示していることが分かる。
【００５５】
図１８と図１９は、「シザースグリーン」植物に蛍光灯、ホワイトＬＥＤとレッドＬＥＤとを組み合わせた照明装置と本発明に係る照明装置からそれぞれ光が照射される場合の生育状態を比べたグラフである。
【００５６】
図１８と図１９を参照すると、消費電力と単価が高いレッドチップを用いたホワイトＬＥＤ＋レッドＬＥＤの照明装置を通じて生育される「シザースグリーン」でも、消費電力が低くて単価が安いブルーチップを採択した本発明（ホワイトＬＥＤ）の照明装置を通じて生育される「シザースグリーン」が一層良好な生長率を示していることが分かる。
【００５７】
上記の図１４〜図１９において、「シザースレッド」、「レタス」、「シザースグリーン」を通じて実験した結果、消費電力が低くて単価が安いブルーチップを採択した本発明（ホワイトＬＥＤ）の照明装置が、全般的には消費電力と単価が高いレッドチップを用いたホワイトＬＥＤ＋レッドＬＥＤの照明装置より一層良好な植物の生長率を示していることが確認できる。
【００５８】
一方、蛍光灯を用いた照明装置は、ホワイトＬＥＤとレッドＬＥＤとを組み合わせた照明装置、本発明に係る照明装置に比べて消費電力が一層大きいのに対し、各植物の生長率は不利であるということも図１４〜図１９から確認できる。
【符号の説明】
【００５９】
１０：ブルーチップ光源
２０：ＲＧＹフォスフォ
１００：ＬＥＤ照明モジュール
２００：回路基板
３００：フレーム
４００：仕上げカバー
【図１】
2015002733.tif 000004
【図２】
2015002733.tif 000005
【図３】
2015002733.tif 000006
【図４】
2015002733.tif 000007
【図５】
2015002733.tif 000008
【図６】
2015002733.tif 000009
【図７】
2015002733.tif 000010
【図８】
2015002733.tif 000011
【図９】
2015002733.tif 000012
【図１０】
2015002733.tif 000013
【図１１】
2015002733.tif 000014
【図１２】
2015002733.tif 000015
【図１３】
2015002733.tif 000016
【図１４】
2015002733.tif 000017
【図１５】
2015002733.tif 000018
【図１６】
2015002733.tif 000019
【図１７】
2015002733.tif 000020
【図１８】
2015002733.tif 000021
【図１９】
2015002733.tif 000022